(57)【要約】【課題】光学部材が位置決めされる構成の表示装置において、表示パネルを傷つけることなく、狭額縁を実現しながら、光学部材の撓みを防止ないし抑制すること。【解決手段】液晶表示装置１０は、導光板２０と、ＬＥＤ２８と、ＬＥＤ基板３０と、シャーシ２２と、枠面部１４ａと側板部１４ｂとを有するフレーム１４と、外縁部が枠面部１４ａ上に配された光学部材１８と、液晶パネル１６と、光学部材１８のうちＬＥＤ基板３０と重畳し、液晶パネル１６の外端よりも外側に延出する延出部１８ｓに設けられ、延出部１８ｓを貫通する延出部側貫通孔１８ｓ１と、枠面部１４ａの延出部側貫通孔１８ｓ１と重畳する部位に設けられ、枠面部１４ａを貫通する枠面部側貫通孔１４ａ１と、延出部側貫通孔１８ｓ１と枠面部側貫通孔１４ａ１とに挿通される部位と側板部１４ｂの外面１４ｂ１と当接する部位とを有し、両部位の間に配されるフレーム１４と光学部材１８とを挟持する金属製のクリップ４０とを備える。【選択図】図４
2013242368.tif 000002
【特許請求の範囲】
【請求項１】
少なくとも一方の側面に設けられた光入射面と、一方の板面に設けられた光出射面と、を有する導光板と、
その光出射側が前記光入射面と対向して配された光源と、
一方の板面上に前記光源が配された光源基板と、
前記導光板の前記光出射面とは反対側に配された底板を少なくとも有し、前記導光板と前記光源と前記光源基板とを少なくとも収容するシャーシと、
枠状をなし、前記導光板を挟んで前記底板と反対側に配され、前記導光板の板面方向に沿って延びる枠面部と、該枠面部の外端から前記底板側に板状に延びる側板部と、を有するフレームと、
前記枠面部に囲まれた開口を覆う形でその外縁部が該枠面部上に配された光学部材と、
前記光学部材を挟んで前記枠面部とは反対側に配された表示パネルと、
前記光学部材のうち、平面視において、前記光源基板と重畳し、前記表示パネルの外端よりも外側に延出する延出部に設けられ、該延出部を前記導光板の厚み方向に貫通する延出部側貫通孔と、
平面視において前記枠面部の前記延出部側貫通孔と重畳する部位に設けられ、該枠面部を前記導光板の厚み方向に貫通する枠面部側貫通孔と、
前記延出部側貫通孔と前記枠面部側貫通孔とに挿通される部位と、前記側板部の前記導光板に向けられた側とは反対側の板面と当接する部位と、を有し、少なくとも両部位の間に配される前記フレームと前記光学部材とを挟持する金属製の挟持部材と、
を備える表示装置。
【請求項２】
前記挟持部材は、前記枠面部側貫通孔と前記延出部側貫通孔とに挿通される挿通部と、該挿通部の前記底板側とは反対側へ突き出た部位から前記側板部側に向かって屈曲する屈曲部と、該屈曲部から前記側板部に向かって延びるとともに該側板部と当接する当接部と、を有する、請求項１に記載の表示装置。
【請求項３】
前記挿通部の前記屈曲部に対する折り曲げ角度が鋭角とされている、請求項２に記載の表示装置。
【請求項４】
前記挿通部の前記底板側の先端が前記光源基板から離間している、請求項２または請求項３に記載の表示装置。
【請求項５】
前記シャーシは、前記底板の外端から前記光出射面側に立ち上がるシャーシ側側板部を有し、
前記挿通部の先端が、前記フレーム側貫通孔を貫通して前記底板側に突出するとともに、前記シャーシ側側板部の前記導光板に向けられた側の板面と当接している、請求項２から請求項４のいずれか１項に記載の表示装置。
【請求項６】
前記挿通部の一部が、前記延出部側貫通孔のうち前記側板部に近い側の部位と、前記枠面部側貫通孔のうち前記側板部に近い側の部位と、の両者に当接している、請求項２から請求項５のいずれか１項に記載の表示装置。
【請求項７】
前記挿通部の一部が、前記延出部側貫通孔のうち前記側板部に近い側の部位と、前記枠面部側貫通孔のうち前記側板部とは離れた側の部位と、の両者に当接している、請求項２から請求項５のいずれか１項に記載の表示装置。
【請求項８】
前記挟持部材がシートクリップとされ、前記両部位の間を弾性的に挟持するものとされた、請求項１から請求項７のいずれか１項に記載の表示装置。
【請求項９】
前記光学部材が矩形状をなすとともに該光学部材の一方の辺に複数の前記延出部が設けられ、
各延出部に設けられた前記延出部側貫通孔の各々に前記挟持部材が配されている、請求項１から請求項８のいずれか１項に記載の表示装置。
【請求項１０】
平面視において前記枠面部の前記延出部と重畳する部位に、前記延出部が収容可能に前記底板側に凹んでなる枠面部側凹部が設けられている、請求項１から請求項９のいずれか１項に記載の表示装置。
【請求項１１】
前記枠面部側凹部と連なる前記側板部の部位に、該側板部と当接する前記挟持部材の一部が収容可能に前記導光板側に凹んでなる側板部側凹部が設けられている、請求項１０に記載の表示装置。
【請求項１２】
前記フレームが断熱性の材料で形成されている、請求項１から請求項１１のいずれか１項に記載の表示装置。
【請求項１３】
前記表示パネルが液晶を用いた液晶パネルである、請求項１から請求項１２のいずれか１項に記載の表示装置。
【請求項１４】
請求項１から請求項１３のいずれか１項に記載の表示装置を備える、テレビ受信装置。
【発明の詳細な説明】
【技術分野】
【０００１】
本発明は、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。このようなバックライト装置の一例として、導光板の側面に入光面が設けられ、導光板の側面側にＬＥＤ等の光源が配されたエッジライト型のバックライト装置が知られている。
【０００３】
エッジライト型のバックライト装置を備える液晶表示装置では、導光板を通過した光を面状の光とするために、導光板の光出射面と液晶パネルとの間にシート状の光学部材が配される。このため、光学部材を導光板の板面方向に位置決めするための位置決め部材が必要とされる。このような光学部材を位置決めするための位置決め部材が配されたエッジライト型のバックライトユニットを備える液晶表示装置が、例えば特許文献１に開示されている。
【先行技術文献】
【特許文献】
【０００４】
【特許文献１】特開２０１１−２１６２７４号公報
【発明の概要】
【発明が解決しようとする課題】
【０００５】
ところで、エッジライト型のバックライト装置では、導光板等が収容される筐体の上面に、その外周部を覆うように枠状をなすフレームが配されることがある。特許文献１の液晶表示装置では、光学部材が導光板の光出射面とフレームとの間に配されるため、光学部材の端部が光源側に露出した状態となっており、光源近傍に発生した熱が伝わり易い構成となっている。このため、光源近傍に発生した熱による光学部材への影響を十分に回避することが難しく、熱による光学部材の撓みを十分に防止ないし抑制することができない。
【０００６】
また、フレーム上（フレームと液晶パネルとの間）に光学部材を配すると、位置決め部材によって液晶パネルを傷つけてしまう虞がある。そこで、位置決め部材を液晶パネルの外側に配する必要があるが、この場合、液晶表示装置の狭額縁化を図るために位置決め部材の大きさを小さくすることが必要となる。しかしながら、位置決め部材を小さくすると位置決め部材の剛性を保つことが困難となる。
【０００７】
本明細書で開示される技術は、上記の課題に鑑みて創作されたものである。本明細書では、光学部材が確実に位置決めされる構成の表示装置において、表示パネルを傷つけることなく、狭額縁を実現しながら、光学部材の撓みを防止ないし抑制することが可能な技術を提供することを目的とする。
【課題を解決するための手段】
【０００８】
本明細書で開示される技術は、少なくとも一方の側面に設けられた光入射面と、一方の板面に設けられた光出射面と、を有する導光板と、その光出射側が前記光入射面と対向して配された光源と、一方の板面上に前記光源が配された光源基板と、前記導光板の前記光出射面とは反対側に配された底板を少なくとも有し、前記導光板と前記光源と前記光源基板とを少なくとも収容するシャーシと、枠状をなし、前記導光板を挟んで前記底板と反対側に配され、前記導光板の板面方向に沿って延びる枠面部と、該枠面部の外端から前記底板側に板状に延びる側板部と、を有するフレームと、前記枠面部に囲まれた開口を覆う形でその外縁部が該枠面部上に配された光学部材と、前記光学部材を挟んで前記枠面部とは反対側に配された表示パネルと、前記光学部材のうち、平面視において、前記光源基板と重畳し、前記表示パネルの外端よりも外側に延出する延出部に設けられ、該延出部を前記導光板の厚み方向に貫通する延出部側貫通孔と、平面視において前記枠面部の前記延出部側貫通孔と重畳する部位に設けられ、該枠面部を前記導光板の厚み方向に貫通する枠面部側貫通孔と、前記延出部側貫通孔と前記枠面部側貫通孔とに挿通される部位と、前記側板部の前記導光板に向けられた側とは反対側の板面と当接する部位と、を有し、少なくとも両部位の間に配される前記フレームと前記光学部材とを挟持する金属製の挟持部材と、を備える表示装置に関する。
【０００９】
上記のような表示装置によれば、光学部材の一部とフレームの一部とが挟持部材によって挟持されることで、光学部材がフレームに対して動かない状態で位置決めされる構成を実現することができる。そして、表示パネルよりも外側に設けられた延出部側貫通孔に挟持部材が貫通されるので、挟持部材は表示パネルから離間して配されることとなり、挟持部材によって表示パネルが傷つくことを防止することができる。また、挟持部材が金属製とされていることで挟持部材を小さなものとした場合であっても挟持部材の剛性を維持することができるので、挟持部材を小さなものとすることができ、これにより、表示装置の狭額縁化を実現することができる。さらに、光学部材がフレーム上に配されることで光源と光学部材との間がフレームによって隔てられているため、光源の近傍に発生した熱によって光学部材が撓むことを防止ないし抑制することができる。以上のように、光学部材がフレームに対して確実に位置決めされる構成の表示装置において、表示パネルを傷つけることなく、狭額縁を実現しながら、光学部材の撓みを防止ないし抑制することができる。
【００１０】
前記挟持部材は、前記枠面部側貫通孔と前記延出部側貫通孔とに挿通される挿通部と、該挿通部の前記底板側とは反対側へ突き出た部位から前記側板部側に向かって屈曲する屈曲部と、該屈曲部から前記側板部に向かって延びるとともに該側板部と当接する当接部と、を有してもよい。
この構成によると、延出部側貫通孔と枠面部側貫通孔とを貫通する部位と側板部と当接する部位との両部位を挟持するための挟持部材の具体的な形状を提供することができる。
【００１１】
前記挿通部の前記屈曲部に対する折り曲げ角度が鋭角とされていてもよい。
この構成によると、挿通部が延出部及び枠面部の挟持される部位側に折れ曲がったものとなるので、当該挟持される部位を挟持部材によって挟持し易いものとすることができる。
【００１２】
前記挿通部の前記底板側の先端が前記光源基板から離間していてもよい。
この構成によると、光源から発生した熱が一層挟持部材に伝わり難いものとなるため、光学部材が熱によって撓むことを一層防止ないし抑制することができる。
【００１３】
前記シャーシは、前記底板の外端から前記光出射面側に立ち上がるシャーシ側側板部を有し、前記挿通部の先端が、前記フレーム側貫通孔を貫通して前記底板側に突出するとともに、前記シャーシ側側板部の前記導光板に向けられた側の板面と当接していてもよい。
この構成によると、挟持部材がシャーシ側側板部を介して側板部をその表裏から挟み込む構成となるので、挟持部材によって光学部材をフレームに対して一層確実に保持することができる。
【００１４】
前記挿通部の一部が、前記延出部側貫通孔のうち前記側板部に近い側の部位と、前記枠面部側貫通孔のうち前記側板部に近い側の部位と、の両者に当接していてもよい。
この構成によると、当接部が延出部側貫通孔に当接することで、光学部材が一層位置ずれし難いものとなるので、挟持部材を配する際に挟持部材と光学部材との設置誤差を小さくすることができる。
【００１５】
前記挿通部の一部が、前記延出部側貫通孔のうち前記側板部に近い側の部位と、前記枠面部側貫通孔のうち前記側板部とは離れた側の部位と、の両者に当接していてもよい。
この構成によると、当接部が延出部側貫通孔に当接することで、光学部材が一層位置ずれし難いものとなるので、挟持部材を配する際に挟持部材と光学部材との設置誤差を小さくすることができる。さらに、表示装置が縦置きとされた状態で挟持部材が表示装置の上側に配されていれば、挟持部材における挿通部が予め当接部側に折り曲げられた状態でなくとも、光学部材の自重により、てこの原理によって挿通部が当接部側に折り曲げられるため、挿通部が予め当接部側に折り曲げられた状態の挟持部材を用いなくとも挟持部材によって光学部材を確実に保持することができる。
【００１６】
前記挟持部材がシートクリップとされ、前記両部位の間を弾性的に挟持するものとされていてもよい。
これによると、挟持部材の具体的な構成を提供することができる。
【００１７】
前記光学部材が矩形状をなすとともに該光学部材の一方の辺に複数の前記延出部が設けられ、各延出部に設けられた前記延出部側貫通孔の各々に前記挟持部材が配されていてもよい。
この構成によると、複数の挟持部材によって光学部材を効果的に保持することができる。
【００１８】
平面視において前記枠面部の前記延出部と重畳する部位に、前記延出部が収容可能に前記底板側に凹んでなる枠面部側凹部が設けられていてもよい。
この構成によると、延出部が配されるための収容空間を設けなくとも枠面部に対して延出部が干渉しないものとすることができるので、表示装置の狭額縁化を好適に実現することができる。
【００１９】
前記枠面部側凹部と連なる前記側板部の部位に、該側板部と当接する前記挟持部材の一部が収容可能に前記導光板側に凹んでなる側板部側凹部が設けられていてもよい。
この構成によると、側板部を外側から覆うベゼル等の部材を配する場合に、側板部と当接する挟持部材の一部がベゼル等の部材と干渉しないものとすることができるので、表示装置の狭額縁化を好適に実現することができる。
【００２０】
前記フレームが断熱性の材料で形成されていてもよい。
この構成によると、光源の近傍に発生した熱がフレームを介して光学部材側へ伝わり難いものとなるため、光学部材が熱によって撓むことを防止ないし抑制することができる。
【００２１】
本明細書で開示される技術では、上記表示パネルを、液晶を用いた液晶パネルとする表示装置も、新規で有用である。また、上記の表示装置を備えるテレビ受信装置も、新規で有用である。
【発明の効果】
【００２２】
本明細書で開示される技術によれば、光学部材が位置決めされる構成の表示装置において、表示パネルを傷つけることなく、狭額縁を実現しながら、光学部材の撓みを防止ないし抑制することができる。
【図面の簡単な説明】
【００２３】
【図１】実施形態１に係るテレビ受信装置ＴＶの分解斜視図
【図２】液晶表示装置１０の分解斜視図
【図３】液晶表示装置１０をシャーシ２２の短辺方向に沿って切断した断面の断面図
【図４】液晶表示装置１０の要部断面図
【図５】クリップ４０によって位置決めされた光学部材１８を表側から視た拡大斜視図
【図６】クリップ４０の拡大斜視図
【図７】変形例１に係る液晶表示装置１１０の要部断面図
【図８】変形例２に係る液晶表示装置２１０の要部断面図
【図９】実施形態２に係る液晶表示装置３１０の要部断面図
【図１０】実施形態３に係る液晶表示装置４１０の分解斜視図
【発明を実施するための形態】
【００２４】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００２５】
テレビ受信装置ＴＶは、液晶表示装置（表示装置の一例）１０と、当該表示装置Ｄを挟むようにして収容する表裏両キャビネットＣａ、Ｃｂと、電源Ｐと、チューナーＴと、スタンドＳと、を備えている。なお、図２に示す上側を表側とし、同図下側を裏側とする。図２に示すように、液晶表示装置１０は、全体として横長の方形を成し、表示パネルである液晶パネル１６と、外部光源であるバックライト装置（照明装置の一例）２４とを備え、これらが枠状を成すベゼル１２などにより一体的に保持されるようになっている。
【００２６】
続いて、液晶パネル１６について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２７】
続いて、バックライト装置２４について説明する。図３は、液晶表示装置１０を後述するクリップ４０を通過する鉛直方向（Ｙ軸方向）に沿って切断した断面の断面図を示している。図２及び図３に示すように、バックライト装置２４は、光学部材１８と、フレーム１４と、シャーシ２２と、放熱部材３６を備えている。フレーム１４は、プラスチック等の断熱性を有する材料で形成されており、平面視において枠状をなしている。フレーム１４は、枠面部１４ａと、側板部１４ｂと、から構成されるとともに、導光板２０の表面（光出射面２０ｂ）の端縁側に沿って配され、内縁に沿って光学部材１８と液晶パネル１６を支持している。枠面部１４ａは、後述するシャーシ２２の底板２２ａに並行する形で板状をなしている。側板部１４ｂは、枠面部１４ａに対して直交する形で枠面部１４ａの外端からシャーシ２２の底板２２ａ側に向かって板状に延びている。光学部材１８は、導光板２０の表側（光出射面２０ｂ側）に配され、フレーム１４に囲まれた開口を覆う形でその外縁部がフレーム１４の枠面部１４ａ上に載置されている。
【００２８】
シャーシ２２内には、ＬＥＤ（Light Emitting Diode）ユニット３２と、反射シート２６と、導光板２０と、クリップ４０とが収容されている。ＬＥＤユニット３２は、シャーシ２２の一方の長辺側外縁（側板）２２ｂに配されており、光を出射する。導光板２０の一方の長手方向側面（入光面）２０ａはＬＥＤユニット３２と対向する位置に配されており、当該ＬＥＤユニット３２から出射される光を液晶パネル１６側へ導く。そして、この導光板２０の表側（光出射面側）に導光板２０から離間した形で光学部材１８が配されている。本実施形態に係るバックライト装置２４では、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。
【００２９】
シャーシ２２は、例えばアルミ系材料などの金属製とされ、平面視矩形状を成す底板２２ａと、底板２２ａの両長辺の各外縁から立ち上がる側板（シャーシ側側板部の一例）２２ｂ、２２ｃと、底板２２ａの両短辺の各外縁から立ち上がる側板２２ｄ、２２ｄとから構成されている。シャーシ２２内においてＬＥＤユニット３２及び一方の側板２２ｃと対向する空間が、導光板２０用の収容空間となっている。なお、底板２２ａの裏側には、ＬＥＤユニット３２に電力を供給する電源回路基板（図示しない）等が取り付けられている。
【００３０】
光学部材１８は、導光板２０側から順に、拡散シート１８ａ、レンズシート１８ｂ、反射型偏光板１８ｃが積層されたものである。拡散シート１８ａ、レンズシート１８ｂ、反射型偏光板１８ｃは、ＬＥＤユニット３２から出射され、導光板２０を通過した光を面状の光とする機能を有している。反射型偏光板１８ｄの上面側には液晶パネル１６が設置されており、光学部材１８はフレーム１４の枠面部１４ａと液晶パネル１６との間に挟持された形で配されている。即ち、光学部材１８は、フレーム１４の内縁に囲まれた開口よりも一回り大きいものとされ、上述したようにその外縁部がフレーム１４の枠面部１４ａ上に載置されている。従って、図３の断面図に示すように、ＬＥＤ２８と導光板２０との間に形成された空間と、光学部材１８の端部と、の間はフレーム１４によって隔てられた構成となっている。光学部材１８は、平面視における大きさが液晶パネル１６とほぼ等しい大きさとされているものの、光学部材１８の一部には、図２及び図３に示すように、液晶パネル１６の外端よりも外側に延出する延出部１８ｓが設けられている。延出部１８ｓについては、後で詳しく説明する。
【００３１】
ＬＥＤユニット３２は、樹脂製の矩形状を成すＬＥＤ基板３０に、白色発光するＬＥＤ２８が一列に並んだ構成となっている。ＬＥＤ基板３０は、ＬＥＤ２８が配された面（以下、実装面３０ａと称する）が光反射性を有するものとされ、実装面３０ａとは反対側の面が放熱部材３６と当接した状態で配されている。なお、ＬＥＤ２８は、青色発光素子に、黄色の領域に発光ピークを持つ蛍光体を塗布することにより白色発光するものとしたものであってもよい。また、青色発光素子に、緑色と赤色の領域にそれぞれ発光ピークを持つ蛍光体を塗布することにより白色発光するものとしたものであってもよい。また、青色発光素子に、緑色の領域に発光ピークを持つ蛍光体を塗布すると共に、赤色発光素子を組み合わせることにより白色発光するものとしたものであってもよい。また、ＬＥＤ２８は、青色発光素子と、緑色発光素子と、赤色発光素子と、を組み合わせることにより白色発光するものとしたものであってもよい。また、紫外光発光素子と、蛍光体と、を組み合わせたものであってもよい。特に、紫外光発光素子に、青色と緑色と赤色にそれぞれ発光ピークを持つ蛍光体を塗布することにより白色発光するものとしたものであってもよい。
【００３２】
導光板２０は、矩形状の板状部材とされ、アクリル等の透光性の大きい（透明度の高い）樹脂により形成されており、反射シート２６と当接していると共に、シャーシ２２の底板２２ａ及び後述する放熱部材３６の底面部３６ａによって支持されている。導光板２０は、図２及び図３に示すように、一対のＬＥＤユニット３２，３２の間に、主板面である光出射面２０ｂを拡散シート１８ａ側に向け、光出射面２０ｂとは反対側の板面である反対板面２０ｃを反射シート２６側に向ける形で配されている。このような導光板２０が配設されることにより、ＬＥＤユニット３２から生じた光は、導光板２０の光入射面２０ａから入射して拡散シート１８ａと対向する光出射面２０ｂから出射することで、液晶パネル１６をその背面側から照射する。
【００３３】
反射シート２６は、長方形状を成し、合成樹脂製とされると共にその表面が光反射性に優れた白色とされており、導光板２０の反対板面２０ｃと当接するとともにシャーシ２２の底板２２ａから離間した状態で配されている。反射シート２６は、その表側に反射面を有し、この反射面が導光板２０の反対板面２０ｃと当接している。そして、反射シート２６は、ＬＥＤユニット３２又は導光板２０からその反射面側へ漏れた光を反射させることが可能となっている。
【００３４】
放熱部材３６は、断面視Ｌ字状をなすＬＥＤ基板３０よりも高い放熱性を有する板状部材であり、シャーシ２２の長辺方向に沿って配され、底面部３６ａと、立ち上がり部３６ｂとから構成されている（図４参照）。底面部３６ａは、平面視矩形状をなし（図２参照）、シャーシ２２の一方の側板２２ｂ側から導光板２０の中央側に向かってシャーシ２２の底板２２ａに沿って延びており、シャーシ２２の底板２２ａと当接して配されている。そして、底面部３６ａにおけるシャーシ２２の側板２２ｂ側の端部は、シャーシ２２の側板２２ｂと当接している。立ち上がり部３６ｂは、シャーシ２２の側板２２ｂと当接する側の底面部３６ａの端縁から板状をなしてシャーシ２２の底板２２ａに対して垂直に立ち上がっている。立ち上がり部３６ｂの内側の面（導光板２０に向けられた側の面）は、ＬＥＤ基板３０のＬＥＤ２８が配された側とは反対側の板面と当接しており、外側の面（導光板２０に向けられた側とは反対側の面）は、シャーシ２２の側板２２ｂと当接している。
【００３５】
続いて本実施形態の要部である、光学部材１８の延出部１８ｓの構成、フレーム１４の枠面部１４ａに設けられた枠面部側凹部１４ａ２の構成、クリップ４０の構成、及びクリップ４０による挟持態様について説明する。光学部材１８の一部である延出部１８ｓは、平面視においてＬＥＤ基板３０と重畳するように光学部材１８の外端から液晶パネル１６の外端よりも外側に延出している。具体的には、延出部１８ｓは、長方形状をなす光学部材１８の一方の長辺（ＬＥＤ基板３０と重畳する側の長辺、ＬＥＤユニット３２が配された側の長辺）における略中央から、光学部材１８の外側に向かって平面視矩形状をなすようにわずかに延出する構成となっている。なお、延出部１８ｓは、光学部材１８を構成する３枚のシート１８ａ、１８ｂ、１８ｃからなっているが、いずれのシート１８ａ、１８ｂ、１８ｃからも同じ大きさ及び形状で延出しており、各々が重なり合うことでなっている。延出部１８ｓの先端側略中央には、図４及び図５に示すように、延出部１８ｓを導光板２０の厚み方向（Ｚ軸方向）に貫通する延出部側貫通孔１８ｓ１が設けられている。延出部側貫通孔１８ｓ１は、光学部材１８の長辺方向に沿って細長く開口した形状とされている。
【００３６】
フレーム１４の枠面部１４ａにおける部位であって、平面視において光学部材１８と重畳する部位には、シャーシ２２側に凹んでなる枠面部側凹部１４ａ２が設けられている。枠面部側凹部１４ａ２は、図５に示すように、光学部材１８の延出部１８ｓが収容可能な大きさとされている。また、枠面部１４ａの枠面部側凹部１４ａ２と連なる側板部１４ｂの部位にも内側（導光板２０側）に凹んでなる側板部側凹部１４ｂ２が設けられている。側板部側凹部１４ｂ２は、クリップ４０の当接部４０ｂが収容可能な大きさとされている。枠面部側凹部１４ａ２において、延出部側貫通孔１８ｓ１と平面視において重畳する位置には、枠面部１４ａを導光板２０の厚み方向（Ｚ軸方向）に貫通する枠面部側貫通孔１４ａ１が設けられている。枠面部側貫通孔１４ａ１は、延出部側貫通孔１８ｓ１と同様に、光学部材１８の長辺方向に沿って細長く開口した形状とされ、その長辺方向の大きさが延出部側貫通孔１８ｓ１よりも大きいものとされている（図５参照）。なお、枠面部側凹部１４ａ２の深さは、延出部１８ｓの厚みと後述するクリップ４０の屈曲部４０ｃの厚みとの和よりも大きいものとされている。このため、光学部材１８がクリップ４０によって位置決めされた状態では、クリップ４０の屈曲部４０ｃの上面が枠面部１４ａの上面よりも下方に位置するものとなり、クリップ４０の屈曲部４０ｃが枠面部１４ａの上面に載置されるベゼル１２に干渉しない構成とされている。
【００３７】
続いてクリップ４０の構成及びクリップ４０による挟持態様について説明する。クリップ４０は、金属製のシートクリップであり、その一部が延出部側貫通孔１８ｓ１と枠面部側貫通孔１４ａ１とに挿通され、他の一部がフレーム１４の側板部１４ｂの外側の板面と当接することで、その間に配されたフレーム１４の一部と光学部材１８の一部とを挟持することができる。具体的には、クリップ４０は、挿通部４０ａと、屈曲部４０ｃと、当接部４０ｂと、から構成されている。挿通部４０ａは、延出部側貫通孔１８ｓ１と枠面部側貫通孔１４ａ１とに挿通される部位とされる。屈曲部４０ｃは、挿通部４０ａのシャーシ２２の底板２２ａ側とは反対側へ突き出た部位から側板部１４ｂ側に向かって屈曲して延びる部位とされる。当接部４０ｂは、屈曲部４０ｃから側板部１４ｂに向かって延びるとともに側板部１４ｂの外側の板面１４ｂ１と当接する部位とされる。クリップ４０は、光学部材１８及びフレーム１４の一部を挟持していない状態では、図６に示すように、挿通部４０ａの屈曲部４０ｃに対する折り曲げ角度θ１が鋭角、即ち９０°より小さな角度とされている。換言すれば、挿通部４０ａは予め内側にバイアスがかけられて折れ曲げられた状態となっている。一方、当接部４０ｂの屈曲部４０ｃに対する折り曲げ角度θ２は直角とされている。
【００３８】
上記のような構成及び形状とされたクリップ４０は、延出部側貫通孔１８ｓ１と枠面部側貫通孔１４ａ１とに挿通される挿通部４０ａと、側板部１４ｂの外側の板面１４ｂ１と当接する当接部４０ｂと、の両部位の間に位置するフレーム１４の一部と光学部材１８の一部（以下、被挟持部と称する）とを挟持している。ここで、被挟持部の挟持方向（Ｙ軸方向）における厚みは、内側にバイアスがかけられて折り曲げられた状態のクリップ４０（図６の状態）における挿通部４０ａと当接部４０ｂとの間の距離よりもわずかに大きいものとなっている。そのため、液晶表示装置１０の製造工程において、被挟持部をクリップ４０で挟持する際には、挿通部４０ａと当接部４０ｂとの間をクリップ４０の弾性力に逆らって広げ、クリップ４０の挿通部４０ａを延出部側貫通孔１８ｓ１と枠面部側貫通孔１４ａ１に挿通させた後、クリップ４０を元の状態に戻す。これにより、被挟持部はクリップ４０の弾性復帰力によって弾性的に挟持されることとなるので、クリップ４０によって被挟持部が挟持された状態では、光学部材１８がクリップ４０によってフレーム１４に対して確実に保持され、位置決めされることとなる。また、被挟持部を挟持した状態のクリップ４０は、図４に示すように、その挿通部４０ａの先端のみが枠面部側貫通孔１４ａ１の側面のうち外側（被挟持部側）の面と当接しており、延出部側貫通孔１８ｓ１及びＬＥＤ基板３０から離間した状態となっている。一方、当接部４０ｃは、その全域が側板部１４ｂの外側の板面１４ｂ１と当接した状態となっている。
【００３９】
ここで、液晶表示装置１０は、テレビ受信装置ＴＶ等として用いられる場合に縦置き状態とされるが（図１参照）、光学部材１８の延出部１８ｓは、液晶表示装置１０が縦置き状態とされたときに上下両側に位置することとなる光学部材１８の両長辺のうち、上側に位置する長辺に設けられている。従って、液晶表示装置１０が縦置きとされた状態では、光学部材１８がクリップ４０によって保持されながら吊り下げられた状態とされる。このため、液晶表示装置１０が縦置き状態とされたときに光学部材１８が下方に落下等することなく、クリップ４０によって位置決めされた状態で保持される。
【００４０】
さて、上記のようにクリップ４０が液晶パネル１６の外側で光学部材１８を保持する構成とされており、クリップ４０が液晶パネル１６から離れた位置に配されているので、クリップ４０によって液晶パネル１６が傷つけられることが防止ないし抑制されている。そして、クリップ４０は金属製とされているから、図４及び図５に示すように、クリップ４０の大きさが小さい場合であってもクリップ４０の剛性を維持することができ、その結果、液晶パネル１６の外側においてクリップ４０が配される部位を狭めることが可能となり、液晶表示装置１０の狭額縁化を図ることができる。さらに、光学部材１８がフレーム１４上に配されていることでＬＥＤ２８（ＬＥＤ基板３０）と光学部材１８との間がフレーム１４によって隔てられた状態となっているので、ＬＥＤ２８近傍に発生した熱はフレーム１４によって遮られ、光学部材１８まで伝わり難いものとなっている。このため、ＬＥＤ２８近傍に発生した熱によって光学部材１８に撓みが生じることが防止ないし抑制されている。なお、本実施形態では、クリップ４０によって被挟持部を挟持することで光学部材１８が保持される構成を実現しており、光学部材１８がピン状の部材で保持される従来の構成に比して、光学部材１８を確実に保持することができる。
【００４１】
以上のように本実施形態に係るバックライト装置２４では、光学部材１８の一部とフレーム１４の一部とがクリップ４０によって挟持されることで、光学部材１８がフレーム１４に対して動かない状態で位置決めされる構成を実現することができる。そして、液晶パネル１６よりも外側に設けられた延出部側貫通孔１８ｓ１にクリップ４０が貫通されるので、クリップ４０は液晶パネル１６から離間して配されることとなり、クリップ４０によって液晶パネル１６が傷つくことを防止することができる。また、クリップ４０が金属製とされていることでクリップ４０を小さなものとした場合であってもクリップ４０の剛性を維持することができるので、クリップ４０を小さなものとすることができ、これにより、液晶表示装置１０の狭額縁化を実現することができる。さらに、光学部材１８がフレーム１４上に配されることでＬＥＤ２８と光学部材１８との間がフレーム１４によって隔てられているため、ＬＥＤ２８の近傍に発生した熱によって光学部材１８が撓むことを防止ないし抑制することができる。以上のように、光学部材１８がフレーム１４に対して確実に位置決めされる構成の液晶表示装置１０において、液晶パネル１６を傷つけることなく、狭額縁を実現しながら、光学部材１８の撓みを防止ないし抑制することができる。
【００４２】
また、本実施形態に係る液晶表示装置１０では、挿通部４０ａの屈曲部４０ｃに対する折り曲げ角度θ１が鋭角とされている。これにより、挿通部４０ａが延出部１８ｓ及び枠面部１４ａの被挟持部側に折れ曲がったものとなるので、当該被挟持部をクリップ４０によって挟持し易いものとすることができる。
【００４３】
また、本実施形態に係る液晶表示装置１０では、挿通部４０ａの底板２２ａ側の先端がＬＥＤ基板３０から離間している。これにより、ＬＥＤ２８から発生した熱が一層クリップ４０に伝わり難いものとなるため、光学部材１８が熱によって撓むことを一層防止ないし抑制することができる。
【００４４】
また、本実施形態に係る液晶表示装置１０では、平面視において枠面部１４ａの延出部１８ｓと重畳する部位に、延出部１８ｓが収容可能にシャーシ２２の底板２２ａ側に凹んでなる枠面部側凹部１４ａ２が設けられている。さらに、この枠面部側凹部１４ａ２と連なる側板部１４ｂの部位に、側板部１４ｂと当接するクリップ４０の一部、即ち当接部４０ｂが収容可能に導光板２０側に凹んでなる側板部側凹部１４ｂ２が設けられている。これにより、延出部１８ｓが配されるための収容空間を設けなくとも枠面部１４ａに対して延出部１８ｓが干渉しないものとすることができ、かつ、クリップ４０の当接部４０ｂがベゼル１２と干渉しないものとすることができるので、液晶表示装置１０の狭額縁化を好適に実現することができる。
【００４５】
また、本実施形態に係る液晶表示装置１０では、フレーム１４が断熱性の材料で形成されている。これにより、ＬＥＤ２８の近傍に発生した熱がフレーム１４を介して光学部材１８側へ伝わり難いものとなるため、光学部材１８が熱によって撓むことを防止ないし抑制することができる。
【００４６】
＜実施形態１の変形例１＞
続いて実施形態１の変形例１について説明する。変形例１では、クリップ１４０における挿通部１４０ａの配置態様が実施形態１のものと異なっており、その他の構成については実施形態１のものと同様であるため、構造、作用、及び効果の説明は省略する。なお、図７において、図４の参照符号に数字１００を加えた部位は、実施形態１で説明した部位と同一である。変形例１では、被挟持部の厚み（Ｙ軸方向の厚み）がクリップ１４０の挿通部１４０ａと当接部１４０ｂとの間の距離とほぼ等しいものとされている。そして、図７に示すように、挿通部１４０ａの一部が、延出部側貫通孔１１８ｓ１のうち側板部１１４ｂに近い側（外側）の部位と、枠面部側貫通孔１１４ａ１のうち側板部１１４ｂに近い側（外側）の部位と、の両者に当接した構成とされている。このような構成とされていることで、当接部１４０ｂが延出部側貫通孔１１８ｓ１から離間している構成に比して光学部材１１８が位置ずれし難いものとなるので、クリップ１４０を配する際にクリップ１４０と光学部材１１８との設置誤差を小さくすることができる。
＜実施形態１の変形例２＞
続いて実施形態１の変形例２について説明する。変形例２では、クリップ２４０における挿通部２４０ａの配置態様が実施形態１及び変形例１のものと異なっており、その他の構成については実施形態１のものと同様であるため、構造、作用、及び効果の説明は省略する。なお、図８において、図４の参照符号に数字２００を加えた部位は、実施形態１で説明した部位と同一である。変形例２では、図８に示すように、枠面部側貫通孔２１４ａ１が延出部側貫通孔２１８ｓ１よりもわずかに外側にずれた配置とされている。そして、挿通部２４０ａの一部が、延出部側貫通孔２１８ｓ１のうち側板部２１４ｂに近い側の部位と、枠面部側貫通孔２１４ａ１のうち側板部２１４ｂとは離れた側の部位と、の両者に当接した構成とされている。このような構成とされていることで、当接部２４０ｂが延出部側貫通孔２１８ｓ１から離間している構成に比して光学部材２１８が位置ずれし難いものとなるので、クリップ２４０を配する際にクリップ２４０と光学部材２１８との設置誤差を小さくすることができる。さらに、液晶表示装置２１０が縦置きとされた状態でクリップ２４０が液晶表示装置２１０の上側に配されていれば、クリップ２４０における挿通部２４０ａが予め当接部２４０ｂ側に折り曲げられた状態でなくとも、光学部材２１８の自重により、当接部２４０ｂの屈曲部２４０ｃとの境界近傍側が光学部材２１８によって縦置き状態における下側（図８における右側）に押される一方で、挿通部２４０ａの先端が枠面部側貫通孔２１４ａ１のうち内側（導光板側）の側面と当接しているので、てこの原理によって挿通部２４０ａが当接部２４０ｂ側に折り曲げられることとなる。このため、挿通部２４０ａが予め当接部２４０ｂ側に折り曲げられた状態（内側にバイアスがかけられた状態）のクリップ２４０を用いなくともクリップ２４０によって光学部材２１８を確実に保持することができる。
【００４７】
＜実施形態２＞
図面を参照して実施形態２を説明する。実施形態２は、クリップ３４０における挿通部３４０ａの長さ及び配置態様が実施形態１のものと異なっている。その他の構成については実施形態１のものと同様であるため、構造、作用、及び効果の説明は省略する。なお、図９において、図４の参照符号に数字３００を加えた部位は、実施形態１で説明した部位と同一である。
【００４８】
実施形態２に係る液晶表示装置３１０では、図９に示すように、クリップ３４０の挿通部３４０ａの長さが実施形態１のものより長いものとされている。また、放熱部材３３６の立ち上がり部３３６ｂの先端の高さが実施形態１のものより低い位置とされており、ＬＥＤ基板３３０とシャーシ３２２の側板３２２ｂと立ち上がり部３３６ｂの先端とによって囲まれた空間が形成されている。そして、この空間内にクリップ３４０の当接部３４０ａの先端が収容されるとともに、当該当接部３４０ａの先端がシャーシ３２２の側板３２２ｂの内側の板面（導光板３２０側に向けられた板面）と当接した構成とされている。このような構成とされていることで、クリップ３４０が側板４２２ｂを介して側板部３１４ｂをその表裏から挟み込む形となるので、クリップ３４０によって光学部材３１８をフレーム３１４に対して一層確実に保持することができる。
【００４９】
＜実施形態３＞
図面を参照して実施形態３を説明する。実施形態３は、光学部材４１８の延出部４１８ａが設けられている数、及びフレーム４１４のクリップ４４０の数が実施形態１のものと異なっている。その他の構成については実施形態１のものと同様であるため、構造、作用、及び効果の説明は省略する。なお、図１０において、図２の参照符号に数字４００を加えた部位は、実施形態１で説明した部位と同一である。
【００５０】
実施形態３に係る液晶表示装置４１０では、図１０に示すように、長方形状（矩形状）をなす光学部材４１８の一方の長辺に３つの延出部４１８ｓ，４１８ｔ，４１８ｕが設けられている。各延出部４１８ｓ，４１８ｔ，４１８ｕは光学部材４１８のＬＥＤ基板４３０が配された側の長辺において、辺の略中央とその両側に等間隔で設けられている。また、フレーム４１４の枠面部４１４ａの各延出部４１８ｓ，４１８ｔ，４１８ｕと平面視において重畳する部位には、それぞれ枠面部側凹部が設けられている。そして、各延出部４１８ｓ，４１８ｔ，４１８ｕ及び各枠面部側凹部には、それぞれ延出部側貫通孔、枠面部側貫通孔が設けられており、クリップを配することが可能となっている。即ち、光学部材４１８を３つのクリップを用いてフレーム４１４に対して保持することができる。このように複数のクリップによって光学部材４１８がフレーム４１４に対して保持される構成とすることで、光学部材４１８を効果的に保持し、位置決めすることができる。
【００５１】
上記の各実施形態の変形例を以下に列挙する。
（１）上記の各実施形態では、挟持部材がシートクリップである構成を例示したが、挟持部材は被挟持部を挟持できる金属製のものであればよく、挟持部材の構成は限定されない。
【００５２】
（２）上記の各実施形態では、ＬＥＤ基板及びＬＥＤが導光板の一方の長辺側にのみ配された構成を例示したが、ＬＥＤ基板及びＬＥＤが導光板の両長辺側に配された構成であってもよい。この場合、光学部材の両長辺側がクリップによってフレームに対して保持される構成であってもよい。
【００５３】
（３）上記の各実施形態では、放熱部材を備える構成を例示したが、放熱部材を備えず、シャーシの側板に直接ＬＥＤ基板が取り付けられた構成であってもよい。
【００５４】
（４）上記の各実施形態以外にも、挟持部材の構成、形状、配置、数、挟持態様等については、適宜に変更可能である。
【００５５】
（５）上記の各実施形態以外にも、延出部の構成、形状、配置、数等については、適宜に変更可能である。
【００５６】
（６）上記の各実施形態以外にも、枠面部における枠面部側凹部の構成、形状、配置、数等については、適宜に変更可能である。
【００５７】
（７）上記の各実施形態以外にも、延出部側貫通孔の構成、形状、配置、数等については、適宜に変更可能である。
【００５８】
（８）上記の各実施形態以外にも、枠面部側貫通孔の構成、形状、配置、数等については、適宜に変更可能である。
【００５９】
（９）上記の各実施形態では、表示パネルとして液晶パネルを用いた液晶表示装置を例示したが、他の種類の表示パネルを用いた表示装置にも本発明は適用可能である。
【００６０】
（１０）上記の各実施形態では、チューナーを備えたテレビ受信装置を例示したが、チューナーを備えない表示装置にも本発明は適用可能である。
【００６１】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００６２】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６３】
ＴＶ：テレビ受信装置、Ｃａ、Ｃｂ…キャビネット、Ｔ…チューナー、Ｓ…スタンド、１０、１１０、２１０、３１０、４１０…液晶表示装置、１２、１１２、２１２、３１２、４１２…ベゼル、１４、１１４、２１４、３１４、４１４…フレーム、１４ａ、１１４ａ、２１４ａ、３１４ａ、４１４ａ…枠面部、１４ｂ、１１４ｂ、２１４ｂ、３１４ｂ、４１４ｂ…側板部、１４ａ１、１１４ａ１、２１４ａ１、３１４ａ１…枠面部側貫通孔、１６、１１６、２１６、３１６、４１６…液晶パネル、１８、１１８、２１８、３１８、４１８…光学部材、１８ｓ、１１８ｓ、２１８ｓ、３１８ｓ、４１８ｓ…延出部、１８ｓ１、１１８ｓ１、２１８ｓ１、３１８ｓ１…延出部側貫通孔、２０、１２０、２２０、３２０、４２０…導光板、２０ａ、１２０ａ、２２０ａ、３２０ａ、４２０ａ…光入射面、２２、１２２、２２２、３２２、４２２…シャーシ、２４、１２４、２２４、３２４、４２４…バックライト装置、２６、１２６、２２６、３２６、４２６…反射シート、２８、１２８、２２８、３２８…ＬＥＤ、３０、１３０、２３０、３３０、４３０…ＬＥＤ基板、３２、１３２、２３２、３３２…ＬＥＤユニット、３６、１３６、２３６、３３６、４２６…放熱部材、３６ａ、１３６ａ、２３６ａ、３３６ａ…底面部、３６ｂ、１３６ｂ、２３６ｂ、４３６ｂ…立ち上がり部、４０、１４０、２４０、３４０…クリップ、４０ａ、１４０ａ、２４０ａ、３４０ａ…挿通部、４０ｂ、１４０ｂ、２４０ｂ、３４０ｂ…当接部、４０ｃ、１４０ｃ、２４０ｃ、３４０ｃ…屈曲部
【図１】
2013242368.tif 000003
【図２】
2013242368.tif 000004
【図３】
2013242368.tif 000005
【図４】
2013242368.tif 000006
【図５】
2013242368.tif 000007
【図６】
2013242368.tif 000008
【図７】
2013242368.tif 000009
【図８】
2013242368.tif 000010
【図９】
2013242368.tif 000011
【図１０】
2013242368.tif 000012